(57)【要約】【課題】  液晶表示素子を照明する発光素子の温度上昇を抑制でき、且つ、ハウジング内に塵埃が入る虞が小さい表示装置を提供する。【解決手段】  表示装置は、液晶表示器１５をハウジング１７に収容したものである。液晶表示器１５は、液晶表示素子１８と、液晶表示素子１８を照明する発光素子２０とを有する。放熱部材３３は、ハウジング１７に形成された開口部１７ａに、発光素子２０が発した熱をハウジング１７の外に放出する。送風器３４は、ハウジング１７の外側に配置され、放熱部材３３を冷却する。パッキング部材３５は、開口部１７ａと放熱部材３３の間に、ハウジング１７内に塵埃が入ることを防ぐ。【選択図】図１
2005148658.tif 000002
【特許請求の範囲】
【請求項１】
液晶表示素子と、前記液晶表示素子を照明する発光素子と、前記液晶表示素子及び前記発光素子を収容するハウジングと、前記発光素子が発した熱を前記ハウジングの外に放出する放熱部材と、前記ハウジングの外側に配置され前記放熱部材を冷却する送風器と、を有することを特徴とする表示装置。
【請求項２】
液晶表示素子及び前記液晶表示素子を照明する発光素子を有する液晶表示器をハウジングに収容した表示装置であって、
前記ハウジングに形成された開口部に、前記発光素子が発した熱を前記ハウジングの外に放出する放熱部材を設けると共に、前記ハウジングの外側に配置され前記放熱部材を冷却する送風器を設けたことを特徴とする表示装置。
【請求項３】
前記開口部と前記放熱部材の間に、前記ハウジング内に塵埃が入ることを防ぐためのパッキング部材を設けたことを特徴とする請求項２に記載の表示装置。
【請求項４】
前記放熱部材は、前記ハウジング外に露出した複数の放熱フィンを有することを特徴とする請求項１または請求項２に記載の表示装置。
【発明の詳細な説明】
【技術分野】
【０００１】
本発明は、液晶表示素子及びこの液晶表示素子を照明する発光ダイオード等の発光素子を有する液晶表示器をハウジングに収容した表示装置に関するものである。
【背景技術】
【０００２】
従来より、液晶表示器を用いた車両用ヘッドアップディスプレイ装置が種々提案されており、例えば特許文献１に開示されている。斯かる車両用ヘッドアップディスプレイ装置は、表示ユニット１が発した表示光Ｌを車両のフロントガラス或いはコンバイナと称される半透過板に投影し、虚像を表示するものである。表示ユニット１は、ハウジング２に液晶表示器３及び反射鏡４を収容したものであり、液晶表示器３が発した表示光Ｌは、反射鏡４で反射されてフロントガラス或いは半透過板に投影される（図４参照）。
【特許文献１】特開２００３−２９５１０５号公報
【０００３】
液晶表示器３は、液晶表示素子５及びこの液晶表示素子６を透過照明する発光ダイオード６を有するものである。発光ダイオード６は、その温度が上昇すると輝度が低下することが知られており、発光ダイオード６の裏面に放熱板７を貼着し、発光ダイオード６の温度上昇を抑制している。ハウジング２の開口部２ａには、冷却ファン８が設けられており、この冷却ファン８によって放熱板７に送風して、放熱板７を冷却している。
【発明の開示】
【発明が解決しようとする課題】
【０００４】
しかしながら、冷却ファン８によって、ハウジング２外からハウジング２内に風を送ると、ハウジング２の中に塵埃が侵入し、液晶表示素子５や反射鏡４の表面にその塵埃が付着して、表示品位が低下するという問題があった。本発明は、この問題に鑑みなされたものであり、液晶表示素子を照明する発光素子の温度上昇を抑制できると共に、ハウジング内に塵埃が入る虞が少ない表示装置を提供するものである。
【課題を解決するための手段】
【０００５】
本発明は、請求項１に記載したように、液晶表示素子１８と、前記液晶表示素子１８を照明する発光素子２０と、前記液晶表示素子１８及び前記発光素子２０を収容するハウジング１７と、前記発光素子１８が発した熱を前記ハウジング１７の外に放出する放熱部材３３，３９と、前記ハウジング１７の外側に配置され前記放熱部材３３，３９を冷却する送風器３４と、を有するものである。
【０００６】
また、本発明は、請求項２に記載したように、液晶表示素子１８及び前記液晶表示素子１８を照明する発光素子２０を有する液晶表示器１５をハウジング１７に収容した表示装置であって、前記ハウジング１７に形成された開口部１７ａに、前記発光素子２０が発した熱を前記ハウジング１７の外に放出する放熱部材３３，３９を設けると共に、前記ハウジング１７の外側に配置され前記放熱部材３３，３９を冷却する送風器３４を設けたものである。
【０００７】
また、本発明は、請求項３に記載したように、前記開口部１７ａと前記放熱部材３３，３９の間に、前記ハウジング１７内に塵埃が入ることを防ぐためのパッキング部材３５を設けたものである。
【０００８】
また、本発明は、請求項４に記載したように、前記放熱部材３９は、前記ハウジング１７外に露出した複数の放熱フィン３９ｃを有するものである。
【発明の効果】
【０００９】
液晶表示素子を照明する発光素子の温度上昇を抑制でき、且つ、ハウジング内に塵埃が入る虞が小さい。
【発明を実施するための最良の形態】
【００１０】
以下、添付の図面に基づいて、本発明の一実施形態について説明する。図１及び図２は第一実施形態を示すものである。
【００１１】
１１は表示ユニット（表示装置）であり、この表示ユニット１１は車両のダッシュボード１２内に配設されている。表示ユニット１１が投射する表示光Ｌはフロントガラス１３により観察者１４に反射される。観察者１４は虚像Ｖを風景と重畳させて視認することができる。表示ユニット１１は、液晶表示器１５及び反射器１６をハウジング１７に収容したものである（図２参照）。
【００１２】
液晶表示器１５は、液晶表示素子１８，光拡散板１９，発光ダイオード２０及びケース体２１を有している。液晶表示素子１８は、ＴＦＴ型液晶セルに偏光膜を貼着したものであり、ケース体２１に固定されている。光拡散板１９は、液晶表示素子１８の後面側に配置されており、発光ダイオード２０が発した光を拡散させる。発光ダイオード２０は、液晶表示素子１８の後方に配置され、液晶表示素子１８を透過照明する。
【００１３】
反射器１６は、反射鏡２３，保持部材２４及びステッピングモータ２５を有している。反射鏡２３は、樹脂（例えばポリカーボネート）に金属（例えばアルミニウム）を蒸着させ反射面２３ａを形成したものである。反射面２３ａは凹面となっており虚像Ｖを拡大表示するようになっている。反射鏡２３は保持部材２４に両面粘着テープにより接着されている。保持部材２４は樹脂（例えばＡＢＳ）からなるものであり、歯車部２７及び軸部２８が一体に形成されている。軸部２８はハウジング１７に軸支されている。
【００１４】
ステッピングモータ２５の回動軸には歯車３０が取付けられており、この歯車３０は、保持部材２４の歯車部２７と噛み合わされている。反射鏡２３は保持部材２４と共に回動可能な状態で支持されており、ステッピングモータ２５により反射鏡２５を回動させ、表示光Ｌの投射方向を調整することができる。観察者１４は、スイッチ（図示しない）を操作し表示光Ｌが目の位置に反射されるように（即ち、虚像Ｖを視認できるように）反射鏡２３の角度を調整する。
【００１５】
３２は放熱板であり、この放熱板３２は、発光ダイオード２０の後面に貼着されている。放熱板３２は、アルミニウム等の金属からなるものであり、平板形状になっている。３３は放熱部材であり、この放熱部材３３は、ハウジング１７の開口部１７ａに配設されている。放熱部材３３は、図示しないビスによってフランジ部３３ａでハウジング１７に固定されている。放熱部材３３には、放熱板３２が熱伝導性接着剤によって接着されている。
【００１６】
３４は冷却ファン（送風器）であり、この冷却ファン３４は放熱部材３３に送風することにより、放熱部材３３を冷却する。冷却ファン３４は、放熱部材３３の支持部３３ｂに支持されている。３５はパッキング部材であり、このパッキング部材３５は、放熱部材３３と、ハウジング１７の開口部１７ａの間を塞ぐ、ハウジング１７の中に塵埃が入ることを防いでいる。
【００１７】
ハウジング１７には液晶表示器１５，反射器１６等が収容される。ハウジング２０には表示光Ｌが出射する窓部１７ｂが設けられており、この窓部１７ｂには透光性樹脂（例えばアクリル）からなる透光性カバー３７が配設されている。ハウジング１７には遮光壁１７ｃが形成されており、太陽光等の外光が液晶表示器１５に入射し虚像Ｖが見えにくくなる現象（ウォッシュアウト）を防止している。
【００１８】
本実施形態によれば、発光ダイオード２０が発した熱は、放熱板３２を介して放熱部材３３に伝わり、放熱部材３３は冷却ファン３４の送風によって冷却されるため、発光ダイオード２０の温度上昇を抑制することができる。且つ、冷却ファン３４の送風によってハウジング１７の中に塵埃が入る虞が小さい。
【００１９】
なお、パッキング部材３５は無くても良く、冷却ファン３４の送風によってハウジング１７の中に塵埃が入らなければ、塵埃が入る虞を小さくできる。また、図３に示す第二実施形態のように、放熱部材３９に放熱フィン３９ｃを設けても良い。
【図面の簡単な説明】
【００２０】
【図１】本発明の第一実施形態を示すヘッドアップディスプレイの概略構成図。
【図２】同上第一実施形態を示す断面図。
【図３】本発明の第二実施形態を示す断面図。
【図４】従来例を示す断面図。
【符号の説明】
【００２１】
１５    液晶表示器
１７    ハウジング
１７ａ  開口部
１８    液晶表示素子
２０    発光ダイオード（発光素子）
３３    放熱部材
３４    冷却ファン（送風器）
３５    パッキング部材
３９    放熱部材
３９ｃ  放熱フィン
【図１】
2005148658.tif 000003
【図２】
2005148658.tif 000004
【図３】
2005148658.tif 000005
【図４】
2005148658.tif 000006